(57)【要約】　【課題】　個別の安全情報を表示するための個別安全情報報知装置において、利用者毎あるいは同じ利用者においてその日の体調毎に最適な安全情報を求め、報知することのできる構成を提供すること。　【解決手段】　ダイバーズ用個別安全情報報知装置１において、浮上速度違反判定手段７７は、水深毎に設定されている浮上速度基準７６と、浮上速度計測手段７５が計測した現在の浮上速度との比較を行い、浮上速度が高すぎるときには、その旨の警告を液晶表示パネル１１、報音装置３７、振動発生装置３８を介してダイバーに報知する。浮上速度違反判定手段７７に対しては、ダイバー自身が年齢や血圧などを入力する個別条件入力手段９９が構成されているので、浮上速度違反判定手段７７はその入力結果も加味して浮上速度の適否を判定する。【選択図】　　図３
2004083012.tif 000002
【特許請求の範囲】
【請求項１】
　利用者の活動状況を監視する監視手段と、該監視手段の監視結果に基づいて利用者の安全を確保するための安全情報を求める安全情報導出手段と、該安全情報導出手段が求めた前記安全情報を利用者に報知する報知手段とを有する個別安全情報報知装置において、
　前記安全情報導出手段に対して前記安全情報を求める際の個別条件を入力可能な個別条件入力手段を有していることを特徴とするダイバーズ用の個別安全情報報知装置。
【請求項２】
　請求項１において、前記個別条件入力手段は、前記個別条件を２以上、同一画面上で入力できるように構成されていることを特徴とするダイバーズ用の個別安全情報報知装置。
【請求項３】
　請求項１または２において、前記監視手段は、潜水中のダイバーの水深位置を検出する水深センサ、および潜水時間を計測する計時手段を備え、
　前記安全情報導出手段は、前記水深センサの検出結果と前記計時手段の計時結果に基づいてダイバーが安全に潜水を行うための情報を前記安全情報として求めることを特徴とするダイバーズ用の個別安全情報報知装置。
【請求項４】
　請求項３において、前記安全情報には、ダイバーが安全に浮上するための浮上速度、ダイバーの無減圧潜水可能時間、および体内に過剰に蓄積された不活性ガスが排出されるまでの時間のうちの少なくとも１つの情報が含まれていることを特徴とするダイバーズ用の個別安全情報報知装置。
【請求項５】
　請求項３または４において、前記安全情報導出手段は、ダイバーの体内に蓄積されている不活性ガスを導出する体内不活性ガス量導出手段を有し、該体内不活性ガス量導出手段の導出結果において、体内に過剰な不活性ガスが蓄積されているときには、前記個別条件入力手段は、少なくとも前記安全情報が安全面で緩い方にシフトするような前記個別条件の入力を禁止するように構成されていることを特徴とするダイバーズ用の個別安全情報報知装置。
【請求項６】
　請求項２ないし５のいずれかにおいて、前記個別条件入力手段は、年齢、体重、血圧、脈拍、体温、性別、および気温のうちの少なくとも１つを前記個別条件として入力するように構成されていることを特徴とするダイバーズ用の個別安全情報報知装置。
【発明の詳細な説明】
【技術分野】
【０００１】
　本発明は、ダイブコンピュータとも称せられるダイバーズ用情報報知装置などといった個別安全情報報知装置に関するものである。さらに詳しくは、このような個別安全情報報知装置での安全基準の設定技術に関するものである。
【背景技術】
【０００２】
　いわゆるダイブコンピュータと称せられるダイバーズ用の個別安全情報報知装置において行われる潜水後の減圧条件の計算方法については、KEN LOYST  et al. 著の「DIVE COMPUTERS A CONSUMER'S GUIDE TO HISTORY、THEORY &#38 PERFORMANCE' 」Watersport Publishing Inc.(1991)に詳細に述べられている。また、理論についての文献としては、A.A.Buhlmann著の「Decompression-Decompression Sickness」、Springer、Berlin(1984)に詳しい。これらいずれの文献にも、ダイビングにより体内に溶け込んだ不活性ガスは減圧症を招くことを示唆している。ここで、減圧症をより確実に防ぐという観点からは、A.A.Buhlmann著の「Decompression-Decompression Sickness」、Springer、Berlin(1984)、 pp.14に記載の下式に基づく計算も検討されている。
【０００３】
【数１】
2004083012.tif 000003
【０００４】
　この式において、ＰＩｉｇは呼吸気の不活性ガス分圧であり、ｋは半飽和時間によって決定される定数である。
【０００５】
　この式によると、
　Ｐｉｇｔ（ｔ0 ）＜ＰＩｉｇのとき、体内不活性ガス分圧Ｐｉｇｔ（ｔE ）は増加、すなわち不活性ガスを吸収し、
　Ｐｉｇｔ（ｔ0 ）＞ＰＩｉｇのとき、体内不活性ガス分圧Ｐｉｇｔ（ｔE ）は減少、すなわち不活性ガスを排出することになる。
【０００６】
　すなわち、不活性ガスの体内への吸収／排出は、浮上や潜降とは関係なく、体内不活性ガス分圧と呼吸気の不活性ガスの大小関係によって決まる。従って、この大小関係から体内不活性ガス量を把握すれば、潜水終了後、体内の不活性ガスの量が通常状態に戻るまでの所要時間、すなわち、次回の潜水までに水面上でとるべき時間がわかるので、ダイバーを減圧症から守ることができるとともに、それまで１日２回と考えられていた潜水回数を潜水履歴によっては増やすことができる。また、減圧症を防止するという観点からすれば、水面への浮上速度を守ることも重要である。
【０００７】
　そこで、従来のダイバーズ用個別安全情報報知装置は、ある一定のアルゴリズムでダイバーの安全を確保するのに必要な情報、たとえば、体内に過剰に蓄積された不活性ガスが排出されるまでの時間や安全な浮上速度を求め、それを液晶表示パネルなどの表示部に表示するように構成されている。
【発明の開示】
【発明が解決しようとする課題】
【０００８】
　しかし、従来の個別安全情報報知装置では、利用者が変わっても、あるいは同じ利用者においてその日の体調に変化があっても、ある一定のアルゴリズムで安全情報を求め、報知するだけであるため、個別の安全情報を表示する装置としては、その機能を十分に発揮しないという問題点がある。たとえば、ダイバーズ用の個別安全情報報知装置であれば、年齢が高ければその分だけ、大きな安全率をかけた情報が表示されるべきである。
【０００９】
　以上の問題点に鑑みて、本発明では、個別の安全情報を表示するための個別安全情報報知装置において、利用者毎あるいは同じ利用者においてその日の体調毎に最適な安全情報を求め、報知することのできる構成を提供することにある。
【課題を解決するための手段】
【００１０】
　上記課題を解決するために、本発明では、利用者の活動状況を監視する監視手段と、該監視手段の監視結果に基づいて利用者の安全を確保するための安全情報を求める安全情報導出手段と、該安全情報導出手段が求めた前記安全情報を利用者に報知する報知手段とを有する個別安全情報報知装置において、前記安全情報導出手段に対して前記安全情報を求める際の個別条件を入力する個別条件入力手段を有していることを特徴とする。
【００１１】
　本発明に係る個別安全情報報知装置では、利用者が年齢や血圧の異なる者などに変わった場合、あるいは同じ利用者においてその日の体調に変化があってそれを懸念する場合に、このような個別条件を入力しておけば、それに相応した基準で安全基準が設定され、報知される。それ故、個別の安全情報を適切に報知することができ、個別安全情報報知装置としての使い勝手がよい。
【００１２】
　本発明において、前記個別条件入力手段は、前記個別条件を２以上、同一画面上で入力できるように構成し、それらの入力をしやすくすることが好ましい。
【００１３】
　本発明において、個別安全情報報知装置をダイバーズ用として構成する場合には、前記監視手段は、潜水中のダイバーの水深位置を検出する水深センサ、および潜水時間を計測する計時手段を備え、前記安全情報導出手段は、前記水深センサの検出結果と前記計時手段の計時結果に基づいてダイバーが安全に潜水を行うための情報を前記安全情報として求める構成とする。
【００１４】
　この場合に、前記安全情報には、ダイバーが安全に浮上するための浮上速度、ダイバーの無減圧潜水可能時間、または体内に過剰に蓄積された不活性ガスが排出されるまでの時間が含まれる。
【００１５】
　本発明では、前記安全情報導出手段は、ダイバーの体内に蓄積されている不活性ガスを導出する体内不活性ガス量導出手段を有し、該体内不活性ガス量導出手段の導出結果において、体内に過剰な不活性ガスが蓄積されているときには、前記個別条件入力手段は、少なくとも前記安全情報として安全面で緩い方にシフトするような前記個別条件の入力を禁止するように構成されていることが好ましい。すなわち、現状のまま潜水を再開すると危険である旨が表示されていたものを、安全情報が安全面で緩い方にシフトするような個別条件の入力があったため急に潜水の再開を許容する旨の表示に切り換わるとダイバーが危険であるため、このような危険からダイバーを守るためである。
本発明において、前記個別条件入力手段は、年齢、体重、血圧、脈拍、体温、性別、または気温などを個別条件として入力する。
【発明の効果】
【００１６】
　以上説明したように、本発明に係る個別安全情報報知装置では、利用者が年齢や血圧の異なる者などに変わっても、あるいは同じ利用者においてその日の体調に変化があってそれを懸念する場合でも、このような個別条件を入力しておけば、それに相応した基準で安全基準が設定され、報知される。それ故、本発明によれば、個別の安全情報を表示する装置として使い勝手がよい。
【発明を実施するための最良の形態】
【００１７】
　以下、図面を参照して本発明の最適な形態を説明する。
【００１８】
［全体構成］
　図１（Ａ）、（Ｂ）はそれぞれ、本形態のダイバーズ用の個別安全情報報知装置の装置本体および腕バンドの一部を示す平面図、および６時の方から装置本体をみたときの側面図である。図２はそのブロック図である。
【００１９】
　図１において、本形態のダイバーズ用の個別安全情報報知装置１は、いわゆるダイブコンピュータとも称せられるものであり、潜水中に体内に蓄積される窒素量（体内窒素分圧）を計測し、この計測結果から、潜水後に陸上でとるべき休止時間などを表示するものである。この個別安全情報報知装置１は、矩形の装置本体２に対して、腕時計における６時の側および１２時の側に腕バンド３、４がそれぞれ連結され、これらの腕バンド３、４によって腕時計と同様、腕に装着して使用することができる。装置本体２は、上ケース２１と下ケース２２とが完全水密状態でビス止めなどの方法で固定され、その内部には各種の電子部品などが搭載された基板（図示せず。）が収納されている。
【００２０】
　装置本体２の上面側には、液晶表示パネル１１を用いた表示部１０が構成され、それより腕時計における６時の側には２つのプッシュボタンからなるスイッチＡ、Ｂが構成されている。このため、潜水中でもスイッチ操作が容易である。ここで、スイッチＡ、Ｂは、後述するとおり、個別安全情報報知装置１で行われる各モードを選択、切り換えするための操作部５である。装置本体２の上面側のうち、腕時計における９時の側には、潜水を開始したか否かを監視するための水分検知センサーを用いた潜水動作監視スイッチ３０が構成されている。この潜水動作監視スイッチ３０は、装置本体の上面に露出している２つの電極３１、３２を備え、これらの電極３１、３２が海水などで導通し、電極３１、３２間の抵抗値が小さくなったときに潜水を開始したものと判断する。但し、この潜水動作監視スイッチ３０は、あくまで入水したことを検出して、後述するダイビングモードに移行するのに用いられるだけで、１回のタイビングを開始した旨を検出するものではない。すなわち、個別安全情報報知装置１を装着した腕が海水に浸かっただけのこともあり、このような場合にはダイビングを開始したものと扱うべきではないからである。それ故、本形態の個別安全情報報知装置１では、装置本体に内蔵の圧力センサによって水深（水圧）が一定以上、たとえば、本形態では水深が１．５ｍより深くなったときにダイビングを開始したものと見做し、かつ、この水深値よりも浅くなったときにダイビングが終了したものと見做す。
【００２１】
（監視手段および報知手段の構成）
　図２に示すように、本形態の個別安全情報報知装置１は、各種の情報を表示して利用者に報知するための液晶表示パネル１１、およびそれを駆動する液晶ドライバー１２を備える表示部１０と、各モードでの処理を行うとともに、各モードに応じた表示を液晶表示パネル１１で行わせる制御部５０とが構成されている。
制御部５０に対しては、スイッチＡ、Ｂ、および水分検出センサを用いた潜水動作監視スイッチ３０からの出力が入力されるようになっている。
【００２２】
　個別安全情報報知装置１では、通常時刻の表示や潜水時間の計測を行うことから、制御部５０に対しては、発振回路３１からのクロック出力が分周回路３２を介して入力され、時刻用カウンタ３３によって１秒単位での計時が行われる計時手段６８が構成されている。
【００２３】
　また、個別安全情報報知装置１は、水深を計測、表示するとともに、水深（水圧）と潜水時間とから体内に蓄積される窒素ガス（不活性ガス）の量を計測していくことから、圧力センサ３４（半導体圧力センサ）、この圧力センサ３４の出力信号に対する増幅回路３５、およびこの増幅回路３５から出力されるアナログ信号をデジタル信号に変換して制御部５０に出力するＡ／Ｄ変換回路３６を備える水深計測手段６１が構成されている。さらに、個別安全情報報知装置１には報音装置３７や振動発生装置３８が構成され、警告などをアラーム音や振動としてダイバーに報知することが可能である。
【００２４】
　このように本形態では、液晶表示パネル１１、報音装置３７、および振動発生装置３８によって各種の情報を利用者に知らせる報知手段が構成されている。
【００２５】
　本形態において、制御部５０は、装置全体の制御を司るＣＰＵ５１と、このＣＰＵ５１の制御の下に液晶ドライバー１２および時刻用カウンタ３３を制御する制御回路５２とが用いられ、ＲＯＭ５３に格納されているプログラムに基づいてＣＰＵ５１が行う各処理によって後述する各モードが実現される。
【００２６】
［浮上速度情報の監視］
　ダイバーズ用情報処理装置１は、後述するダイビングモード中、ダイバーの浮上速度を監視して、それが適正か否かをダイバーの安全情報として導出する安全情報導出手段が構成され、この手段は、ＣＰＵ５１、ＲＯＭ５３、ＲＡＭ５４などの機能を利用して以下の構成として実現される。
【００２７】
　すなわち、図３に示すように、ダイバーズ用の個別安全情報報知装置１では、前記の計時手段６８（監視手段）の計測結果および水深計測手段６１（監視手段）の計測結果に基づいて浮上時の浮上速度を計測する浮上速度計測手段７５と、浮上速度計測手段７５の計測結果と予め設定されている浮上速度上限値７６とを比較して現在の浮上速度が浮上速度上限値７６より速い場合には浮上速度違反との警告を行う浮上速度違反判定手段７７とが構成されている。浮上速度計測手段７５は、図２に示したＣＰＵ５１、ＲＯＭ５３、ＲＡＭ５４の演算機能として実現される。浮上速度違反判定手段７７も、図２に示したＣＰＵ５１、ＲＯＭ５３、ＲＡＭ５４などで実現され、その判定結果を知らせる報知手段として、報音装置３７、振動発生装置８、液晶表示パネル１１での表示などの機能が利用される。
【００２８】
　本形態において、浮上速度違反判定手段７７は、前記の浮上速度上限値７６としてＲＯＭ５３に格納されている水深範囲毎の浮上速度上限値と現在の浮上速度とを比較して、現在の浮上速度が現在水深に対応する浮上速度上限値７６より速い場合には液晶表示パネル１１での表示、報音装置３７からのアラーム音の発生、さらに振動発生装置３８からダイバーへの振動の伝達などの方法で浮上速度違反の警告を行い、浮上速度が浮上速度上限値７６より遅い状態に戻った時点で浮上速度違反の警告を停止する。本形態では、前記の浮上速度上限値７６として各水深範囲毎に以下に示す値
　今回の水深計測値　　　　　　浮上速度上限値
　　１．８ｍ未満　　　　　　　警告なし
　　１．８ｍ〜　５．９ｍ　　　　８ｍ／分（約０．８ｍ／６秒）
　　６．０ｍ〜１７．９ｍ　　　１２ｍ／分（約１．２ｍ／６秒）
　１８．０ｍ以上　　　　　　　１６ｍ／分（約１．６ｍ／６秒）
が設定されている。すなわち、水深が深いところでは、同じ浮上速度で浮上しても単位時間当たりの浮上前後の水圧比が小さいので、比較的大きな浮上速度を許容しても減圧症を十分に防止できるからである。これに対して、水深が浅いところでは、同じ浮上速度で浮上しても単位時間当たりの浮上前後の水圧比が大きいので、比較的小さな浮上速度しか許容しないようになっている。
【００２９】
　本形態では、浮上速度上限値として６秒当たりの水深値がＲＯＭ５３に格納されているのは、図４に示すように、水深の計測は１秒毎に行うが、個別安全情報報知装置１を装着した腕の動きが浮上速度に影響を及ぼすことを防ぐために、浮上速度計測の方は６秒毎に行うので、今回の水深計測値と６秒前の前回の水深計測値との差分を算出し、この差分を浮上速度として見做して上記の浮上速度上限値（ｍ／６秒）とを比較するからである。
【００３０】
　再び図３において、浮上速度違反判定手段７７に対しては、ダイバーが個々に条件（年齢や血圧などの個別条件）を入力して浮上速度に対する判定を自分自身にあったものに適合させる個別条件入力手段９９が構成されている。この個別条件入力手段９９は、後述するように、設定モードにおいてスイッチＡ、Ｂからダイバー自身が自分自身の年齢や血圧などの個別条件を入力することができる。
【００３１】
　また、個別安全情報報知装置１には、水深計測手段６１が計測した水深値が１．５ｍ（潜水開始判定用水深値）より深くなったときから１．５ｍ（潜水終了判定用水深値）より浅くなったときまでを１回の潜水動作としてこの間の潜水結果（（ダイビングの日付、潜水時間、最大水深などの様々なデータ）をＲＡＭ５４に記憶、保持しておく潜水結果記録手段７８が構成され、この潜水結果記録手段７８も、図２に示したＣＰＵ５１、ＲＯＭ５３、ＲＡＭ５４の機能として実現される。ここで、潜水結果記録手段７８は、浮上速度違反警告手段７７が１回の潜水で連続して複数回の警告、たとえば連続して２回以上の警告を発したときに浮上速度違反があった旨を潜水結果として記録するように構成され、後述するログモードにおいて過去の潜水結果が再生、表示されるときには、ダイビング中に浮上速度違反があった旨も再生、表示される。
【００３２】
　この潜水結果記録手段７８は、水深計測手段６１が計測した水深値が１．５ｍ（潜水開始判定用水深値）より深くなったときから１．５ｍ（潜水終了判定用水深値）より浅くなるまでの間、計時手段６８の計測結果に基づいて潜水時間の計測を行い、潜水時間が３分未満であれば、この間の潜水は１回の潜水として扱わず、その間の潜水結果については記録しない。潜水結果記録手段７８では潜水結果が最大１０本のログデータとして記憶、保持され、それ以上潜水した場合には古いデータから順に削除されるので、素潜りのような短時間のダイビングも記録すると、重要なダイビングの結果が削除されてしまうからである。
【００３３】
　このように、本形態の個別安全情報報知装置１では、水深が１．５ｍより深い状態が３分以上続いたときに初めてダイビングを行ったものとして扱うため、水深が１．５ｍより浅い位置まで浮上したときには、水深が０ｍと見做され、その表示はあくまで０ｍである。従って、このような浅い所でも深い所と同様に浮上速度違反警告を発するように構成した場合に、水深が１．５ｍよりわずかに深いところで数ｃｍの腕の動きがあって、水深が１．５ｍよりわずかでも浅くなって０ｍと見做されると、浮上速度を守っているにもかかわらず、浮上速度違反警告が発せられることになる。その結果、ダイバーは浮上速度違反警告の信頼性に疑問を抱いてしまう。しかるに本形態では、現在水深が所定値（１．５ｍ）よりも浅いときには、浮上速度にかかわらず、浮上速度違反の警告を発しない。それ故、上記の不自然な警告が発せられることがないので、この警告への信頼感を高めることができる。すなわち、図４に示すように、たとえば、浮上中に前回計測した水深が１．８ｍで、この位置から実線Ｌ１１で示すように浮上して、６秒経過後に計測した現在の水深が１．５ｍ（潜水終了判定用水深値）以浅であれば、浮上速度違反との警告を発しない。
【００３４】
［表示部の説明］
　再び図１（Ａ）において、液晶表示パネル１１の表示面は、８つの表示領域が構成されている。詳しくは後述するが、これら８つの表示領域のうち、腕時計の１２時の側に位置する第１の表示領域１１１は、各表示領域のうちで最も大きく構成され、そこには、後述するダイビングモード、サーフェスモード（時刻モード）、プランニングモード、ログモードのときにそれぞれ現在水深、現在月日、水深ランク、潜水月日（ログナンバー）が表示される。第１の表示領域１１１より３時の側に位置する第２の表示領域１１２には、ダイビングモード、サーフェスモード（時刻モード）、プランニングモード、ログモードのときにそれぞれ潜水時間、現在時刻、無減圧潜水可能時間、潜水開始時刻（潜水時間）が表示される。第１の表示領域１１１より６時の側に位置する第３の表示領域１１３には、ダイビングモード、サーフェスモード（時刻モード）、プランニングモード、ログモードのときにそれぞれ最大水深、体内窒素排出時間、セーフティレベル、最大水深（平均水深）が表示される。第３の表示領域１１３より３時の側に位置する第４の表示領域１１４には、ダイビングモード、サーフェスモード（時刻モード）、プランニングモード、ログモードのときにそれぞれ無減圧潜水可能時間、水面休止時間、温度、潜水終了時刻（最大水深時水温）が表示される。第３の表示領域１１３より６時の側に位置する第５の表示領域１１５には、電源容量切れ警告や高所ランクが表示される。液晶表示パネル１１の最も６時の側に位置する第６の表示領域１１６には、体内窒素量がグラフ表示される。また、第６の表示領域１１６より３時の側に位置する第７の表示領域１１７には、ダイビングモードで減圧潜水状態になったときに窒素（不活性ガス）が吸収傾向にあるのか、排出傾向にあるかを示す領域、浮上速度が高すぎる旨の浮上速度違反警告の１つとしての「ＳＬＯＷ」を表示する領域、および潜水中に減圧潜水に至った旨の警告としての「ＤＥＣＯ」を表示する領域が構成されている。
【００３５】
　このように、液晶表示パネル１１の表示面では、ダイビングモードのときに現在水深を表示する領域（第１の表示領域１１１）が最も大きく確保されているので、ダイバーは重要なデータである現在水深の表示を視認しやすい。しかも、液晶表示パネル１１の表示面が上ケース２１の上面より凹んでいるため液晶表示パネル１１の表示面の周囲に上ケース２１に起因する段差があっても、ダイビングモードのときの現在水深の表示領域（第１の表示領域１１１）が１２時の側に配置されているので、前記の段差によって現在水深の表示が隠れることがない。それ故、この点からも、本形態の個別安全情報報知装置１では、重要なデータである現在水深の表示を視認しやすい。
【００３６】
［無減圧潜水可能時間および体内窒素排出時間の導出手段の構成］
　本形態のダイバーズ用の個別安全情報報知装置１には、以下に説明するように、吸気に含まれる窒素が体内に吸収され、かつ、排出されていく様子をシュミレートして、現在の体内窒素量から判断してある水深で無減圧潜水の状態で何時間潜水できるか（無減圧潜水可能時間）、およびこれまでの潜水で体内に過剰に溶け込んだ窒素が水面上でどれ位の時間で排出されるか（体内窒素排出時間）をダイバーの安全情報として導出する安全情報導出手段も構成されている。
【００３７】
　図５は、本形態の個別安全情報報知装置１において体内窒素分圧（体内窒素量）を計算するための構成例を説明するための機能ブロック図である。ここで示す体内窒素量の計算はあくまで一例であり、各種の方法を用いることができることから、ここではそのための構成を簡単に説明しておく。
【００３８】
　図５に示すように、本形態の個別安全情報報知装置１では、体内窒素量を分圧として計算するために、図２に示した圧力センサー３４、増幅回路３５、Ａ／Ｄ変換回路３６を利用した水深計測手段６１、図２に示したＣＰＵ５１、ＲＯＭ５３、ＲＡＭ５４の機能として実現される呼吸気窒素分圧計算手段６２、図２に示したＲＡＭ５４を利用した呼吸気窒素分圧記憶手段６３、図２に示したＣＰＵ５１、ＲＯＭ５３、ＲＡＭ５４の機能として実現される体内窒素分圧計算手段６４、図２に示したＲＡＭ５４を利用した体内窒素分圧記憶手段６５、図２に示した時刻用カウンタ３３を利用した計時手段６８、図２に示したＣＰＵ５１、ＲＯＭ５３、ＲＡＭ５４の機能として実現され、呼吸気窒素分圧記憶手段６３と体内窒素分圧記憶手段６５に記憶されているデータ比較を行う比較手段６６、図２に示したＣＰＵ５１、ＲＯＭ５３、ＲＡＭ５４の機能として実現される半飽和時間選択手段６７が構成されている。これらの構成要素のうち、呼吸気窒素分圧計算手段６２、体内窒素分圧計算手段６４、比較手段６６、半飽和時間選択手段６７は、図２のＣＰＵ５１、ＲＯＭ５３、およびＲＡＭ５４にてソフトウエアとして実現可能であるが、ハードウエアである論理回路のみ、あるいは論理回路とＣＰＵを含む処理回路とソフトウエアを組み合わせることで実現することも可能である。
【００３９】
　この構成例では、水深計測手段６１は、時間ｔに対応する水圧Ｐ（ｔ）を計測して出力する。
【００４０】
　呼吸気窒素分圧計算手段６２は、水深計測手段６１から出力された水圧Ｐ（ｔ）に基づいて、呼吸気窒素分圧ＰＩＮ2 （ｔ）を計算し、出力する。呼吸気窒素分圧ＰＩＮ2 （ｔ）は潜水中の水圧Ｐ（ｔ）より次式
　ＰＩＮ2 （ｔ）＝０．７９×Ｐ　　　　［ｂａｒ］
により計算で求めることができる。
【００４１】
　呼吸気窒素分圧記憶手段６３は、呼吸気窒素分圧計算手段６２において上式のように計算されたＰＩＮ2 （ｔ）の値を記憶する。
【００４２】
　体内窒素分圧計算手段６４は、窒素の吸収／排出の速度が異なる組織毎に体内窒素分圧ＰＧＴ（ｔ）を計算する。１つの組織を例にとると、潜水時刻ｔ＝ｔ0 からｔE までに吸収／排出する体内窒素分圧ＰＧＴ（ｔE ）は、ｔ0 時の体内窒素分圧ＰＧＴ（ｔ0 ）と潜水時間ｔE と、半飽和時間ＴH より計算される。
【００４３】
　ここでいう半飽和時間ＴH とは、図６に示すように、体内窒素分圧ＰＧＴ（ｔE ）がｔ0 時の体内窒素分圧ＰＧＴ（ｔ0 ）からこの水深下での呼吸気窒素分圧ＰＩＩＧに到達する過程で体内窒素分圧ＰＧＴ（ｔ0 ）と呼吸気窒素分圧ＰＩＩＧとの中間圧力に到達するまでの時間（ハーフタイム）に相当する。
【００４４】
　このようにして求められる体内窒素分圧は、図５からわかるように、ＰＧＴ（（ｔE ）として体内窒素分圧記憶手段６５に記憶される。体内窒素分圧ＰＧＴ（（ｔE ）を求めるための計算式は、下式のとおりである。
【００４５】
【数２】
2004083012.tif 000004
【００４６】
　ここで、ｋは実験的に求められる定数である。
【００４７】
　次に、比較手段６６により、呼吸気窒素分圧記憶手段６３の結果であるＰＩＮ2 （ｔ）と体内窒素分圧手段５の結果であるＰＧＴ（ｔ）を比較し、その結果、半飽和時間選択手段６７によって、体内窒素分圧計算手段６４で用いられる半飽和時間ＴH を可変とする。
【００４８】
　たとえば、ｔ＝ｔ0 時の呼吸気窒素分圧ＰＩＮ2 （ｔ0 ）、体内窒素分圧ＰＧＴ（ｔ0 ）が、それぞれ呼吸気窒素分圧記憶手段６３と体内窒素分圧記憶手段６５に記憶されているとすると、比較手段６６はこのＰＩＮ2 （ｔ0 ）とＰＧＴ（（ｔ0 ）を比較する。
【００４９】
　そして、体内窒素分圧計算手段６４は、半飽和時間選択手段６７により、次のように制御され、ｔ＝ｔE の時の体内窒素分圧ＰＧＴ（ｔE ）が計算される。
【００５０】
【数３】
2004083012.tif 000005
【００５１】
【数４】
2004083012.tif 000006
【００５２】
　ここで、上記２式では、ｋは定数、ＴH2＜ＴH1と計算される。
【００５３】
　なお、ＰＧＴ（ｔ0 ）＝ＰＩＮ2 （ｔ0 ）のときは、半飽和時間ＴH ＝（ＴH2＋ＴH1）／２として計算するのが好ましい。また、これらの時間（ｔ0 やｔE についての計測）は、図５の計時手段６８によって管理される。
【００５４】
　ここで、ＰＧＴ（ｔ0 ）＞ＰＩＮ2 （ｔ0 ）のときは、体内から窒素が排出される場合であり、ＰＧＴ（ｔ0 ）＜ＰＩＮ2 （ｔ0 ）のときは、体内へ窒素が吸収される場合である。これらの時に半飽和時間を可変するということは、窒素が排出される場合は、半飽和時間が長く、排出に時間がかかることを意味し、逆に窒素が吸収される場合は半飽和時間が短く、吸収にかかる時間は排出にかかる時間と比較すると短いことになる。
【００５５】
　このようにして、本形態のダイバーズ用の個別安全情報報知装置１には、体内窒素量のシュミレーションをより厳密に行う体内窒素量導出手段６０が構成されている。ここで、体内窒素分圧の許容値を設定しておけば、ある水深（水圧）でこの許容値に到達するまでの時間（ダイバーの無減圧潜水可能時間）、および水面上で体内窒素分圧が平衡値にまで低下するまでの時間（体内窒素排出時間）を精度よく求めることができる。すなわち、本形態のダイバーズ用の個別安全情報報知装置１には、無減圧潜水可能時間および体内窒素排出時間をダイバーの安全情報として導出する潜水可能時間導出手段９２および体内窒素排出時間導出手段９１も構成されている。
【００５６】
　ここで、前記の個別条件入力手段９９に入力があったときには、体内窒素量導出手段６０に対してその入力結果に応じた修正を加えた体内窒素量を導出させ、その結果として、無減圧潜水可能時間および体内窒素排出時間の導出結果に修正を施すようになっている。すなわち、個別条件入力手段９９を介してダイバーが年齢や血圧などの個別条件を入力すると、上記のアルゴリズムを基本としながらも、体内窒素量導出手段６０はその入力結果に対応する係数を前記の半飽和時間ＴH などに乗じることによって、ダイバーが入力した個別条件を加味して体内窒素量を導出していく。その結果、潜水可能時間導出手段９２および体内窒素排出時間導出手段９１が導出する無減圧潜水可能時間および体内窒素排出時間に修正が加えられることになる。
【００５７】
　また、個別条件入力手段９９を介してダイバーが個別条件を入力したときでも、体内窒素量導出手段６０は上記のアルゴリズムのまま体内窒素量を導出していくように構成し、その代わりに、この導出結果に基づいて潜水可能時間導出手段９２および体内窒素排出時間導出手段９１が導出した無減圧潜水可能時間および体内窒素排出時間に対して直接、個別条件入力手段９９を介してダイバーが入力した個別条件に適合した修正を行うように構成してもよい。このように構成する場合には、図５に示した本形態のダイバーズ用の個別安全情報報知装置１の機能ブロック図は、図７に示すように変更する。
【００５８】
［各モードの説明］
　このように構成した個別安全情報報知装置１は、図８を参照して以下に説明する各モード（時刻モードＳＴ１、サーフェスモードＳＴ２、プランニングモードＳＴ３、設定モードＳＴ４、ダイビングモードＳＴ５、ログモードＳＴ６）での使用が可能である。
【００５９】
（時刻モードＳＴ１）
　時刻モードＳＴ１は、スイッチ操作を行わず、かつ、体内窒素が平衡状態時、陸上で携帯するときの機能であり、液晶表示パネル１１には現在月日１００、現在時刻１０１、高度ランク１０２（図１を参照。／高度ランクがランク０の場合にはマークが表示されない。）が表示される。高度ランク１０２は、現在の場所の高度を自動的に計測し、３つのランクで表示するようになっている。現在時刻１０１はコロンが点滅することによって、この表示が現在時刻１０１である旨を知らせる。たとえば、図８に示す状態では、現在１２月５日の１０時０６分であると表示されている。
【００６０】
　また、海抜の高い所、低い所を上下したときも気圧が変化するので、過去のダイビングの有無にかかわらず、体内への窒素の溶け込みや窒素の排出が起きる。
そこで、本形態の個別安全情報報知装置１では、時刻モードＳＴ１であってもこのような高度変化があったときには減圧計算を自動的に開始し、表示が変わる。
すなわち、図示を省略するが、高度が変わってからの時間、体内窒素が平衡状態になるまでの時間、現在から平衡状態になるまで排出または溶け込む窒素量が表示される。
【００６１】
　この時刻モードＳＴ１では、スイッチＡを押すとプランニングモードＳＴ３に直接、移行し、スイッチＢを押すとログモードＳＴ６に直接、移行する。また、スイッチＡを押した後、スイッチＡを押したままスイッチＢを５秒間押し続けると、設定モードＳＴ４に移行する。
【００６２】
　この時刻モードＳＴ１の間に、図１、図２に示した潜水動作監視スイッチ３０を介して入水したことを検出したときには自動的に機能チェックを行い、センサなどが正常であることが確認できれば、ダイビングモードＳＴ５に自動的に移行する。このときセンサなどに異常があったときには、その旨を図２に示した報音装置３７からアラーム音などで報知する。
【００６３】
（サーフェスモードＳＴ２）
　個別安全情報報知装置１は、ダイビングの終了後、導通していた潜水動作監視スイッチ３０が絶縁状態になると自動的にサーフェスモードＳＴ２に移行する。
このサーフェスモードＳＴ２は、前回のダイビングから４８時間経過するまで、陸上で携帯するときの機能である。このサーフェスモードＳＴ２では、時刻モードＳＴ１で表示するデータ（現在月日１００、現在時刻１０１、高度ランク）の他に、ダイビング終了後の体内窒素量の変化の目安などを表示する。すなわち、体内に溶け込んだ過剰な窒素が排出され、平衡状態になるまでの時間が体内窒素排出時間２０１として表示される。この体内窒素排出時間２０１は、平衡状態になるまでの時間をカウントダウンする。体内窒素排出時間２０１が０時間００分になった以降は、無表示となる。また、潜水後の経過時間が水面休止時間２０２として表示され、この水面休止時間２０２は、ダイビングモードＳＴ５において水深が１．５ｍよりも浅くなった時点をダイビングの終了として計時が開始され、４８時間まで計測した後、無表示となる。従って、個別安全情報報知装置１において、ダイビング終了後、４８時間が経過するまでは陸上においてこのサーフェスモードＳＴ２となり、それ以降は時刻モードＳＴ１である。なお、図８に示す状態では、現在、１２月５日の１１時５８分であり、ダイビング終了後、１時間１３分経過していると表示されている。また、これまで行ったダイビングにより体内に溶け込んだ窒素量が体内窒素グラフ２０３の４個分に相当することが表示され、この状態から体内の過剰な窒素が排出されて平衡状態になるまでの時間（（体内窒素排出時間２０１）が、たとえば１０時間５５分であると表示されている。
【００６４】
　このサーフェスモードＳＴ２では、スイッチＡを押すとプランニングモードＳＴ３に直接、移行し、スイッチＢを押すとログモードＳＴ６に直接、移行する。
また、スイッチＡを押した後、スイッチＡを押したままスイッチＢを５秒間押し続けると、設定モードＳＴ４に移行する。
【００６５】
　このサーフェスモードＳＴ２の間に、潜水動作監視スイッチ３０を介して入水したことを検出したときには自動的に機能チェックを行い、センサなどが正常であることを確認できれば、ダイビングモードＳＴ５に自動的に移行する。このときセンサなどに異常があったときにはその旨を報音装置３７からアラーム音などで報知する。
【００６６】
（設定モードＳＴ４）
　設定モードＳＴ４は、月日１００、現在時刻１０１の設定の他に、警告アラームのＯＮ／ＯＦＦ設定、セーフティレベルの設定をも行うための機能である。この設定モードＳＴ４では、現在月日１００、年１０６、現在時刻１０１、セーフティレベル（図示せず。）、アラームのＯＮ／ＯＦＦ（図示せず。）、高度ランクが表示され、これらの項目のうち、セーフティレベルは、通常の減圧計算を行うレベルと、ダイビング後に１ランク高い高度ランクの場所へ移動することを前提とした減圧計算を行うレベルの２つのレベルに設定できる。アラームのＯＮ／ＯＦＦは、報音装置３７から各種警告のアラームを鳴らすか否かを設定するための設定であり、アラームをＯＦＦに設定しておけば、アラームが鳴らない。従って、ダイバーズ用の個別安全情報報知装置１のように電池切れが特に致命的である装置では、アラームのために消費される電力を削減でき、都合がよい。
【００６７】
　この設定モードＳＴ４では、スイッチＡを押す度に設定項目が時、秒、分、年、月、日、セーフティレベル、アラームＯＮ／ＯＦＦの順に切り換わり、それに相当する部分の表示が点滅する。このとき、スイッチＢを押すと設定項目の数値または文字が変わり、押し続けると数値や文字が早く変わる。アラームのＯＮ／ＯＦＦが点滅しているときにスイッチＡを押すと、サーフェスモードＳＴ２または時刻モードＳＴ１に戻る。また、スイッチＡ、Ｂのいずれもが１分〜２分間押されなければ、サーフェスモードＳＴ２または時刻モードＳＴ１に自動的に戻る。
【００６８】
　この設定モードＳＴ４の間に、潜水動作監視スイッチ３０を介して入水したことを検出したときにも自動的に機能チェックを行い、センサなどが正常であることを確認できれば、ダイビングモードＳＴ５に自動的に移行する。このときセンサなどに異常があったときにはその旨を報音装置３７からアラーム音などで報知する。
【００６９】
　本形態のダイバーズ用の個別安全情報報知装置１では、浮上速度違反判定などを自分自身の年齢や血圧などの個別条件に適合するように前記の個別条件入力手段９９（図３、５、７参照。）を介して条件変更可能であり、このような条件変更は、この設定モードＳＴ４のときに第３の表示領域１１３に表示されている「「Ｐｄ」を指定して、後述するように、別画面に移行させて行われる。
【００７０】
（プランニングモードＳＴ３）
　プランニングモードＳＴ３とは、次に行うダイビングの最大水深と潜水時間の目安を入力するためのモードである。このモードでは、水深ランク３０１、無減圧潜水可能時間３０２、セーフティレベル、高度ランク、水面休止時間２０２、体内窒素グラフ２０３が表示される。水深ランク３０１のランクは、低ランクから高ランクへと順次、表示が変わっていくとともに、各水深ランク３０１での無減圧潜水可能時間３０２が表示される。たとえば、水深ランク３０１は、９ｍ、１２ｍ、１５ｍ、１８ｍ、２１ｍ、２４ｍ、２７ｍ、３０ｍ、３３ｍ、３６ｍ、３９ｍ、４２ｍ、４５ｍ、４８ｍの順に５秒毎に切り換わる。このとき、時刻モードＳＴ１からプランニングモードＳＴ３に移行したのであれば、過去の潜水によって体内に過剰な窒素蓄積がない初回潜水の計画であるため、体内窒素グラフ２０３が０であり、水深が１５ｍのときに無減圧潜水可能時間３０２が６６分と表示される。それ故、水深１２ｍ以上、１５ｍ以下のところで６６分未満まで無減圧潜水が可能であることがわかる。これに対して、サーフェスモードＳＴ２からプランニングモードＳＴ３に移行したのであれば、過去の潜水によって体内に過剰の窒素蓄積がある反復潜水の計画であるため、体内窒素グラフ２０３が４つ分であり、最大水深が１５ｍのときであれば、無減圧潜水可能時間３０２は４９分と表示される。それ故、水深１２ｍ以上、１５ｍ以下のところで４９分未満まで無減圧潜水が可能であることがわかる。
【００７１】
　このプランニングモードＳＴ３では、水深ランク３０１が４８ｍと表示されるまでの間にスイッチＡを２秒以上押し続けると、サーフェスモードＳＴ２に直接、移行する。また、水深ランク３０１が４８ｍと表示された後には時刻モードＳＴ１またはサーフェスモードＳＴ２に自動的に移行する。さらに、所定の期間、スイッチ操作がないときにはサーフェスモードＳＴ２または時刻モードＳＴ１に自動的に移行するので、その都度、スイッチ操作を行う必要がない分、便利である。これに対して、スイッチＢを押すとログモードＳＴ６に直接、移行する。
【００７２】
　また、プランニングモードＳＴ３の間に、潜水動作監視スイッチ３０を介して入水したことを検出したときには自動的に機能チェックを行い、センサなどが正常であることを確認できれば、ダイビングモードＳＴ５に自動的に移行する。このときセンサなどに異常があったときにはその旨を報音装置３７からアラーム音などで報知する。
【００７３】
（ダイビングモードＳＴ５）
　ダイビングモードＳＴ５とは、潜水時のモードであり、無減圧潜水モードＳＴ５１では、現在水深５０１、潜水時間５０２、最大水深５０３、無減圧潜水可能時間３０２、体内窒素グラフ２０３、高度ランクなど、ダイビングに必要な情報が表示される機能である。たとえば、図８に示す状態では、ダイビングを開始してから１２分経過し、水深が１６．８ｍのところにおり、この水深ではあと４２分間無減圧潜水を続けることができる旨が表示されている。また、現在までの最大水深は２０．０ｍである旨が表示され、さらに現在の体内窒素量は体内窒素グラフ２０３のマークが４つ点灯しているレベルである旨が表示される。
【００７４】
　ここで、ダイビングモードＳＴ５に移行したことをダイバーに知らせる目的で、現在水深５０１の表示などを点滅させてもよい。このように構成すると、ダイビングモードＳＴ５での処理を行っている旨を液晶表示パネル１１での表示で視認できるので、ダイバーは、ダイビングモードＳＴ５が正常に機能しているか否かを心配する必要がないので、便利である。
【００７５】
　このダイビングモードＳＴ５では、浮上速度監視機能として前記したとおり、急激な浮上は減圧症の原因となることから、６秒毎に現在の浮上速度を求めるとともに、この浮上速度と現在水深に対応する浮上速度基準値とを比較し、今回求めた浮上速度が浮上速度基準値よりも速い場合には、報音装置３７から４ｋＨｚの周波数でアラーム音（浮上速度違反警告）を３秒間発するとともに、浮上速度を落とすように液晶表示パネル１１において「ＳＬＯＷ」との表示と、現在水深の表示とを１Ｈｚ周期で交互に点滅させ、浮上速度違反警告を行う。また、振動発生装置３８から浮上速度違反である旨を振動でダイバーに警告する。そして、浮上速度が正常なレベルにまで低下したときには前記の浮上速度違反警告を停止する。
【００７６】
　なお、ダイビングモードＳＴ５では、スイッチＡを押すと、それが押し続けられている間だけ、現在時刻表示モードＳＴ５２として、現在時刻１０１と現在水温５０４が表示される。図８に示す状態では、現在、時刻が１０時１８分であり、水温が２３℃であると表示されている。このように、ダイビングモードＳＴ５においてその旨のスイッチ操作があったときには所定の期間だけ現在時刻１０１や現在水温の表示を行うため、小さな表示面内で常時はダイビングに必要なデータだけを表示するように構成したとしても（無減圧潜水モードＳＴ５１）、現在時刻１０１などを必要に応じて表示できるので（現在時刻表示モードＳＴ５２）、便利である。しかも、このようにダイビングモードＳＴ５においても、表示の切り換えにスイッチ操作を用いたので、ダイバーが知りたい情報を適正なタイミングで表示できる。
【００７７】
　このダイビングモードＳＴ５の間に、水深が１．５ｍより浅いところにまで浮上したときには、ダイビングが終了したものとして処理され、導通していた潜水動作監視スイッチ３０が絶縁状態になった時点でサーフェスモードＳＴ２に自動的に移行する。この間、図３に示した潜水結果記録手段７８は、水深が１．５ｍ以深になったときから１．５ｍ以浅になったときまでを１回の潜水動作としてこの間の潜水結果（ダイビングの日付、潜水時間、最大水深などの様々なデータ）をＲＡＭ５４に記憶、保持しておく。併せて、今回のダイビング中に前記の浮上速度違反警告が連続して２回以上あったときには、その旨も潜水結果として記録する。
【００７８】
　本形態の個別安全情報報知装置１は、あくまで無減圧潜水を前提に構成されているものであるが、万が一、減圧潜水の状態になったときには、その旨のアラーム音でダイバーに報知するとともに、以下の減圧潜水表示モードＳＴ５３に切り換わる。すなわち、減圧潜水表示モードＳＴ５３では、現在水深５０１、潜水時間５０２、体内窒素グラフ２０３、高度ランク、減圧停止深度５０５、減圧停止時間５０６、総浮上時間５０７が表示される。図８に示す状態では、潜水開始から２４分経過し、水深が２９．５ｍのところにいる旨が表示されている。また、体内窒素量が最大許容値を越え、危険であるため、安全な浮上速度を守りながら、水深３ｍのところまで浮上し、そこで１分間の減圧停止をするようにとの指示が表示される。また、安全な浮上速度として水面までには最低でも５分かけるようにとの指示が表示される。さらに、現在、体内窒素量が増大傾向にある旨が上向きの矢印５０８で表示される。
【００７９】
　そこで、ダイバーは、上記の表示内容に基づいて減圧停止した後、浮上するが、この減圧を行っている間、体内窒素量が減少傾向にある旨が下向きの矢印５０９で表示される。
【００８０】
（ログモードＳＴ６）
　時刻モードＳＴ１またはサーフェスモードＳＴ２においてスイッチＢを押すと、ログモードＳＴ６に直接、移行する。ログモードＳＴ６は、３分以上、ダイビングモードＳＴ５に入った状態で水深１．５ｍよりも深く潜水したときの各種データを記憶、表示する機能である。このようなダイビングのデータは、ログデータとして潜水毎に順次記憶され、最大１０本のログデータが記憶、保持され、それ以上潜水した場合には古いデータから順に削除され、常に最新の１０本分のダイビングが記憶される。
【００８１】
　このログモードＳＴ６において、ログデータは４秒毎に切り換わる２つの画面で表示される。第１の画面ＳＴ６１では、潜水月日６０１、平均水深５０９、潜水開始時刻６０３、潜水終了時刻６０４、高度ランク、潜水を終了したときの体内窒素グラフ２０３が表示される。第２の画面ＳＴ６２では、その日での潜水ナンバーであるログナンバー６０５、最大水深６０８、潜水時間６０６、最大水深時の水温６０７、高度ランク、潜水を終了したときの体内窒素グラフ２０３が表示される。たとえば、図８に示す状態では、高度ランクが０のところで、１２月５日の２本目のダイビングは潜水が１０時０７分に開始された以降、１０時４５分で終了し、３８分間の潜水であった旨が表示されている。このときのダイビングでは、平均水深が１４．６ｍ、最大水深が２６．０ｍ、最大水深時の水温が２３℃であり、ダイビング終了後、体内窒素グラフ２０３が４つ分の窒素が体内に溶け込んだ旨を表示してる。このように、ログモードＳＴ６では２画面を自動的に切り換えながら各種の情報を表示するので、表示面が小さくても表示できる情報量が多い。
【００８２】
　また、ログモードＳＴ６では、今回表示しているダイビング中に前記の速度違反警告が２回以上あったときには、その旨を、たとえば液晶表示パネル１１の第７の表示領域１１７において「ＳＬＯＷ」と表示する。
【００８３】
　このログモードＳＴ６ではスイッチＢを押す度に、新しいデータから古いデータに切り換わり、最も古いデータが表示された後は、時刻モードＳＴ１またはサーフェスモードＳＴ２に移行する。その途中にスイッチＢを２秒以上押し続けた場合も時刻モードＳＴ１またはサーフェスモードＳＴ２に移行する。さらに、スイッチＡ、Ｂのいずれもが１分〜２分間押されない場合も、サーフェスモードＳＴ２または時刻モードＳＴ１に自動的に戻るので、その都度、スイッチ操作を行う必要がない分、便利である。これに対して、スイッチＡを押すと、プランニングモードＳＴ３に直接、移行する。このように、本形態では、プランニングモードＳＴ３、サーフェスモードＳＴ２と、ログモードＳＴ６のうち、いずれのモード間でも１回のスイッチ操作で相互の直接移行が可能である。従って、各モードへの移行ルートの自由度が高いので、プランニングモードＳＴ３とログモードＳＴ６との間でも１回の操作で相互に、直接移行できるため、過去の潜水記録を参照しながら潜水計画を立てるのに手間がかからず、便利である。
【００８４】
　また、ログモードＳＴ６の間に、潜水動作監視スイッチ３０を介して入水したことを検出したときには自動的に機能チェックを行い、センサなどが正常であることを確認できれば、ダイビングモードＳＴ５に自動的に移行する。このときセンサなどに異常があったときにはその旨を報音装置３７からアラーム音などで報知する。このように、プランニングモードＳＴ３、サーフェスモードＳＴ２（時刻モードＳＴ１）、ログモードＳＴ６、設定モードＳＴ４のいずれのモードからもダイビングモードＳＴ５に自動的に移行することができるので、たとえば、ログモードＳＴ６において過去の潜水記録を確認した後、あるいはプランニングモードＳＴ３で潜水計画を設定した後、そのまますぐに潜水を開始することができるなど、便利である。また、いずれもモードからでもダイビングモードＳＴ５に移行できるので、ダイビングモードＳＴ５に移行する準備ができていなくてダイビングモードＳＴ５に移行し損ねたことを潜水を開始した後にはじめて知るという失敗がないので、使い勝手がよい。しかも、ダイビングモードＳＴ５に移行する際には予め機能チェックを行い、該機能チェックにおいて異常を検出したときにはダイビングモードＳＴ５への移行を自動的に停止するとともに、その旨のアラーム報知を行うため、異常があるままダイビングモードＳＴ５に移行するという失敗がなく、しかも異常にすぐ気付くので、便利である。しかも、潜水中に体内に蓄積される不活性ガスの量を監視し損なうということがないので、減圧症を防止するという観点から安全でもある。
【００８５】
（個別条件入力手段の構成）
　本形態のダイバーズ用の個別安全情報表示装置１では、ダイバーの安全を確保するための安全情報として、ダイバーが安全に浮上するための浮上速度の判定結果、ダイバーの無減圧潜水可能時間、および体内窒素排出時間が利用者に報知される。ここで、安全情報は一般的な利用者をモデルに求められ、表示や警告として利用者に報知されるが、本形態に係るダイバーズ用の個別安全情報表示装置１では、より個々の事情に適合した安全情報を報知できるように、図３に示した浮上速度違反判定手段７７、図５に示した体内窒素量導出手段６０、図７に示した体内窒素排出時間導出手段９１、および潜水可能時間導出手段９２に個別条件を入力するための個別条件入力手段９９が以下のように構成されている。
【００８６】
　まず、図９（Ａ）に示すように、設定モードＳＴ４においては、液晶表示パネル１１には、現在月日１００、年１０６、現在時刻１０１、セーフティレベル（（図示せず。）、アラームのＯＮ／ＯＦＦ（図示せず。）、高度ランクが表示されるとともに、第３の表示領域１１３に「Ｐｄ」という項目も表示される。この設定モードＳＴ４では、前述したとおり、スイッチＡを押す度に設定項目が時、秒、分、年、月、日、セーフティレベル、アラームＯＮ／ＯＦＦ、「Ｐｄ」の順に切り換わり、それに相当する部分の表示が点滅する。ここで、「Ｐｄ」が点滅しているときに、スイッチＢを押すと、図９（Ｂ）に示すように、個別条件入力画面（別画面）に切り替わる。この個別条件入力画面では、たとえば、第１の表示領域１１１に年齢に対応する文字「ＡＧ」と数字「００」とが表示され、かつ、第３の表示領域１１１および第４の表示領域１１４のそれぞれに血圧（最高）に対応する文字「Ｂｐ」と数字「０００」とが表示される。また、第２の表示領域１１２には、先に説明した設定モードの通常画面に戻るための「ｂＣ」とが表示される。この画面においても、スイッチＡを押す度に設定項目が年齢、血圧、設定画面への復帰との間で切り換わり、それに相当する部分の表示が点滅する。
年齢または血圧が点滅しているときに、スイッチＢを押すと設定項目の数値が変わり、押し続けると数値が繰り上がっていく。従って、年齢をたとえば「４０」とし、血圧を「１４０」に設定することができる。この画面において、先に説明した設定画面に戻るための「ｂＣ」との表示が点滅しているときにスイッチＢを押すと、先に説明した画面に戻る。このように本形態では、年齢や血圧といった複数の個別条件を入力するのに、図９（Ｂ）に示す同一画面上で行うので、入力が容易である。
【００８７】
　このようにして、設定モードＳＴ４において個別条件を入力すると、それ以降、浮上速度の判定、無減圧潜水可能時間、および体内窒素排出時間が利用者に報知される際には、入力した年齢や血圧などの個別条件が加味された内容で報知される。
【００８８】
　すなわち、ダイバーが安全に浮上するための浮上速度に関して浮上速度違反との警告が発せられる基準、無減圧潜水可能時間、および体内窒素排出時間については、年齢が３０歳を越え、かつ、それより年齢が１０歳高くなるたびに、表１に示す係数が乗ぜられた値が導出され、その結果が報知される。これらの数値はルックアップテーブルとしてＲＯＭ５３に格納されている。
【００８９】
【表１】
2004083012.tif 000007
【００９０】
　それ故、同じ条件で潜水を行っても、年齢の高いものほど、時間をよりかけて浮上しないと浮上速度違反である旨の警告が発せられるとともに、潜水時間を短く、かつ、休止時間を長く設定するように表示される。
【００９１】
　また、ダイバーが安全に浮上するための浮上速度に関して浮上速度違反との警告が発せられる基準、無減圧潜水可能時間、および体内窒素排出時間については、血圧が１００〜１２０の範囲を外れると、表２に示す係数が乗ぜられた値が導出される。これらの数値もピックアップテーブルとしてＲＯＭ５３に格納されている。
【００９２】
【表２】
2004083012.tif 000008
【００９３】
　それ故、同じ条件で潜水を行っても、血圧が所定の範囲から外れた者ほど、時間をよりかけて浮上しないと浮上速度違反である旨の警告が発せられるとともに、潜水時間を短く、かつ、休止時間を長く設定するように表示される。
【００９４】
（本形態の主な効果）
　以上説明したように、本形態の個別安全情報報知装置１では、利用者が年齢や血圧の異なる者に変わった場合、あるいは同じ利用者においてその日の体調（血圧）に変化があってそれが心配な場合では、このような個別条件を入力しておけば、それに相応した基準で安全基準が設定され、報知される。それ故、個別の安全情報を表示する装置としての機能が高い。
【００９５】
（その他の実施の形態）
　なお、上記形態では、ダイバーが安全に浮上するための浮上速度、無減圧潜水可能時間、および体内窒素排出時間を年齢や血圧などの個別条件に基づいて適正にする構成としたが、それに限らず、利用者の体重、脈拍数、体温、性別、あるいは外気温度などを個別条件として入力して、それに相応した浮上速度、無減圧潜水可能時間、または体内窒素排出時間を報知するように構成してもよい。これらいずれの条件も、ダイバーの安全を確保するという面では重要である。たとえば、体重が標準より軽ければ、あるいは女性であれば、安全をより促すような厳しい情報が報知されるべきである。また、脈拍数や体温からみて体調にやや不安がありそうなときにも、安全をより促すような厳しい情報が報知されるべきである。また、外気温度が低すぎる場合や高すぎる場合も安全をより促すような厳しい情報が報知されるべきと考えられる。
【００９６】
　また、上記形態に係るダイバーズ用の個別安全情報報知装置１において、個別条件入力手段９９は、浮上速度違反判定などを自分自身の血圧などの個別条件に適合するように条件変更するための入力が、設定モードＳＴ４であれば、サーフェスモードＳＴ２または時刻モードＳＴ１のいずれのモードから移行してきた場合も可能であったが、このような条件変更については、時刻モードＳＴ１から設定モードＳＴ４に移行してきた場合のみ許容し、サーフェスモードＳＴ２から設定モードＳＴ４に移行してきた場合には禁止するように構成してもよい。特に、体内窒素量導出手段６０の導出結果からみて体内に過剰な窒素が残っている場合には、安全面からみて安全情報がより緩い方にシフトするような個別条件が禁止されるように個別条件入力手段９９を構成するのが好ましい。すなわち、今回の条件変更が行われるまで体内窒素排出時間の計測、表示が行われ、体内窒素排出時間がもうしばらく潜水再開を待つべきとの値だったのが、安全面からみて緩い方に条件変更したため体内窒素排出時間が急に短くなって急に潜水再開を許容する値に切り換わってしまうと、危険である。しかるに、体内に過剰な窒素が残っている場合に個別条件入力手段９９からの入力による条件変更を禁止すれば、このような危険を回避できる。
【００９７】
　なお、個別安全情報報知装置１としてはダイバー用に限らず、たとえば、ランニングなどといったトレーニング時に利用者の安全を確保するための情報を表示するような装置にも本発明を適用できる。
【００９８】
　さらに、個別条件入力手段９９としては、ボタンスイッチなどを介しての外部入力に限らず、脈拍計や血圧計での計測結果がそのまま、コネクタなどを介して個別安全情報報知装置１に直接信号入力され、条件設定される構成でもよい。
【産業上の利用可能性】
【００９９】
　本発明に係る個別安全情報報知装置では、利用者が年齢や血圧の異なる者などに変わっても、あるいは同じ利用者においてその日の体調に変化があってそれを懸念する場合でも、このような個別条件を入力しておけば、それに相応した基準で安全基準が設定され、報知され故、個別の安全情報を表示する装置として使い勝手がよい。
【図面の簡単な説明】
【０１００】
【図１】（Ａ）は、本発明を適用したダイバーズ用の個別安全情報報知装置の装置本体および腕バンドの一部を示す平面図、（Ｂ）は、その装置本体を腕時計の６時の方からみたときの側面図。
【図２】本発明を適用したダイバーズ用の個別安全情報報知装置全体のブロック図。
【図３】本発明を適用したダイバーズ用の個別安全情報報知装置において、浮上速度違反警告を行うためのブロック図。
【図４】本発明を適用したダイバーズ用の個別安全情報報知装置において、浅いところでは浮上速度違反警告を行わないことの目的を説明するための説明図。
【図５】本発明を適用したダイバーズ用の個別安全情報報知装置において、体内窒素量、無減圧潜水可能時間、および体内窒素排出時間を導出する機能を示すブロック図。
【図６】体内窒素量を計測するために用いる半飽和時間（ハーフタイム）の意味を示す説明図。
【図７】本発明を適用した別のダイバーズ用の個別安全情報報知装置において、体内窒素量、無減圧潜水可能時間、および体内窒素排出時間を導出する機能を示すブロック図。
【図８】本発明を適用したダイバーズ用の個別安全情報報知装置が有する各機能を示すフローチャート。
【図９】（Ａ）は、本発明を適用したダイバーズ用の個別安全情報報知装置における通常の設定モードの画面を示す説明図、（Ｂ）は、年齢や血圧などの個別条件を入力するための画面を示す説明図。
【符号の説明】
【０１０１】
１　ダイバーズ用個別安全情報報知装置、５　操作部、１０　表示部、１１　液晶表示パネル（報知手段）、３０　潜水動作監視スイッチ、３４　圧力センサ、３７　報音装置（報知手段）、３８　振動発生装置（報知手段）、５０　制御部、５１　ＣＰＵ、５３　ＲＯＭ、５４　ＲＡＭ、６０　体内窒素量導出手段（安全情報導出手段）、６１　水深計測手段（監視手段）、６２　呼吸気窒素分圧計算手段、６３　呼吸気窒素分圧記憶手段、６４　体内窒素分圧計算手段、６５　体内窒素分圧記憶手段、６７　半飽和時間選択手段、６８　計時手段（監視手段）、７５　浮上速度計測手段、７６　浮上速度上限値、７７　浮上速度違反判定手段（安全情報導出手段）、７８　潜水結果記録手段、９１　体内窒素排出時間導出手段（安全情報導出手段）、９２　潜水可能時間導出手段（安全情報導出手段）、９９　個別条件入力手段、Ａ、Ｂ　スイッチ、ＳＴ１　時刻モード、ＳＴ２　サーフェスモード、ＳＴ３　プランニングモード、ＳＴ４　設定モード、ＳＴ５　ダイビングモード、ＳＴ６　ログモード
【図１】
2004083012.tif 000009
【図２】
2004083012.tif 000010
【図３】
2004083012.tif 000011
【図４】
2004083012.tif 000012
【図５】
2004083012.tif 000013
【図６】
2004083012.tif 000014
【図７】
2004083012.tif 000015
【図８】
2004083012.tif 000016
【図９】
2004083012.tif 000017